(57)【要約】【課題】  振出竿の振出操作及び収納操作を容易迅速に行うことができるものを提供する点にある。【解決手段】  竿先端に釣り糸ａを連結するリリアン１Ａを取り付けている一番竿１と、一番竿１より大径の二番竿２、三番竿３等の内部空間内に、一番竿１と二番２等の接着状態を回避する撥水塗装層Ｃを設けてある。【選択図】        図１
2006223185.tif 000002
【特許請求の範囲】
【請求項１】
竿先端に釣り糸を連結する糸連結部材を取り付けている一番竿と、前記一番竿より大径の中竿、元竿を備え、前記中竿の内部空間内に撥水塗装層を設けてある振出竿。
【請求項２】
リールから繰出される釣り糸を案内する釣り糸ガイドを、一番竿及び中竿の夫々の竿外周面に設けるとともに、前記リールを取り付けるリールシートを備えた元竿を備え、前記中竿の内部空間内に撥水塗装層を設けてある振出竿。
【請求項３】
前記中竿の内部空間における竿先端部と竿尻端部とに、内向きに膨出する内向き環状膨出部を形成し、その内向き環状膨出部の内周面にも撥水塗装層を形成してある請求項１または２記載の振出竿。
【請求項４】
中竿の内部空間内に撥水塗装層を設ける振出竿の製造方法であって、撥水塗装層を塗布した剥離紙を、前記撥水塗装層が外側になるようにマンドレルの全長に亘って巻回するとともに、プリプレグを所定形状に裁断したパターンを前記撥水塗装層の上から巻回して竿素材を形成し、その竿素材を焼成した状態で前記剥離紙を剥がすことによって撥水塗装層を表出させる振出竿の製造方法。
【請求項５】
中竿の内部空間内における竿先端部と竿尻端部とに、内向きに膨出する内向き環状膨出部を形成し、その内向き環状膨出部にも撥水塗装層を設ける振出竿の製造方法であって、剥離紙を挟んで竿先側と竿尻側とに細幅プリプレグ製の補助パターンを配置して、前記剥離紙と両補助パターンをマンドレルに巻回するとともに、広幅プリプレグ製のメインパターンを前記剥離紙と両補助パターンの上から巻回して竿素材を形成し、その竿素材を焼成した状態で前記剥離紙を剥がし、前記竿素材の内周面に撥水剤を塗布する振出竿の製造方法。
【請求項６】
前記中竿の内周面に、軸線方向に沿った状態で突条を形成するとともに、その突条を含む前記内周面に撥水塗装層を形成してある請求項１または２記載の振出竿
【発明の詳細な説明】
【技術分野】
【０００１】
本発明は、竿先端に釣り糸を連結する糸連結部材を取り付けている振出竿やリールから繰出される釣り糸を案内する釣り糸ガイドを、竿外周面に設けている振出竿及びその製造方法に関する。
【背景技術】
【０００２】
この種の振出竿においては、一番竿等の竿先側竿体を元竿等の竿尻側竿体から引き出した状態においては、例えば一番竿等の竿先側竿体の竿尻端部外周面が二番竿等の竿尻側竿体の竿先端部内周面に圧接することによって、その状態を保持することになっているが、一番竿を二番竿内に、二番竿を三番竿内にといった具合に順番に竿先側竿体を竿尻側竿体に収納して、全ての竿体を元竿内に収納した状態では、収納されている各竿体は互いに圧接部による拘束された状態にはなく、自由に竿先側に移動できる状態にある（特許文献１参照）。
【０００３】
【特許文献１】特開平５−１６８３７６号公報（段落番号〔００１４〕、及び、図２）
【発明の開示】
【発明が解決しようとする課題】
【０００４】
しかし、竿先側竿体を竿尻側竿体内に収納した際に、竿先側竿体が竿尻側竿体内に水分を持ち込むことがあり、このために、元竿を握って前後に振ったり或いはやや前方下向きに傾けて一番竿等の竿先側竿体を元竿から抜き出す操作を行った場合にも、持ち込まれた水分によって竿体同士が接着状態にあり、竿先側竿体が出難い状態になることがある。このような現象は竿体同士の間に介在した水分が竿体の接触面に亘って広く広がる、所謂、親水性を発揮することのよるものと考えられる。
特に、一番竿等は軽量で小径のものである為、水分による付着力に対抗できず、引き出し操作に難渋することがあった。
また、振出竿においては前記したように伸長状態においては竿先側竿体の竿尻端部の外周面を竿尻側竿体の竿先側端部の内周面に圧接させてその伸長状態を保持する構成を採っているが、その圧接部位に水分が介在するとその水分を媒介して竿先側竿体を竿尻側竿体内に収納しようとしても竿先側竿体が動かない所謂固着現象を生ずることがある。
【０００５】
本発明の目的は、竿先側竿体の振出操作または収納操作を容易迅速に行うことのできるものを提供する点にある。
【課題を解決するための手段】
【０００６】
〔構成〕
請求項１に係る発明の特徴構成は、竿先端に釣り糸を連結する糸連結部材を取り付けている一番竿と、前記一番竿より大径の中竿、元竿を備え、前記中竿の内部空間内に撥水塗装層を設けてある点にあり、その作用効果は次の通りである。
【０００７】
〔作用〕
水分排除機能を有する撥水塗装層の存在によって、竿尻側竿体としての中竿内に持ち込まれた水分は、その撥水塗装層と竿の内周面との間で広がることはない。所謂、撥水塗装層が親水性ではなく撥水性を発揮することになる。これによって竿先側竿体は、付着した水分とともに撥水塗装層の排除機能を受けてその撥水塗装層上を移動し易くなっており、水分が介在したことによる接着力を弱めることができる。
さらに、竿先側竿体が動かない所謂固着現象を生ずることがある場合であっても、圧接部位に撥水塗装層を介在させると水分が撥水塗装層と親水性を発揮しないので、固着現象を抑制できる。
【０００８】
〔効果〕
竿体内周面に撥水塗装層を設けるだけの簡単な改良を図るだけで、容易に振出操作が可能になった。
元来この種の振出竿においては、一番竿の先端に釣り糸を取り付けているために、竿体内に水分が持ち込まれることが少ないのであるが、水分が持ち込まれた場合には前記したような振出操作の困難性を来たすので、竿体内周面に撥水塗装層を設けるだけの対策は有効である。
【０００９】
請求項２に係る発明の特徴構成は、リールから繰出される釣り糸を案内する釣り糸ガイドを、一番竿及び中竿の夫々の竿外周面に設けるとともに、前記リールを取り付けるリールシートを備えた元竿を備え、前記中竿の内部空間内に撥水塗装層を設けてある点にあり、その作用効果は次の通りである。
【００１０】
〔作用効果〕
請求項１に係る発明で奏した作用効果と同様である。
【００１１】
請求項３に係る発明の特徴構成は、請求項１又は２に係る発明において、前記中竿の内部空間における竿先端部と竿尻端部とに、内向きに膨出する内向き環状膨出部を形成し、その内向き環状膨出部の内周面にも撥水塗装層を形成してある点にあり、その作用効果は次の通りである。
【００１２】
〔作用効果〕
中竿の内部空間における竿先端部と竿尻端部とに形成した内向き環状膨出部の二点によって一番竿等の竿先側竿体を支持するので、中竿の内周面の軸線方向全長に亘って支持する場合に比べて支持する面積を必要最小限に抑えることができ、水分による一番竿等の付着現象を抑制することができる。
このように、撥水塗装層を設けるだけでなく、中竿の内部空間における支持構造を竿先端部と竿尻端部とに限定することによって、中通し竿に挿通される釣り糸のように弛みが生じやすくその内周面に沿って付着し易いものに比べて、二点を支持するだけで内周面の全長に亘って接触することのない直線性及び剛性性の高い竿の特性に適うものにでき、より良く振出操作を行うことができるに至った。
【００１３】
請求項４に係る発明の特徴構成は、中竿の内部空間内に撥水塗装層を設ける振出竿の製造方法であって、撥水塗装層を塗布した剥離紙を、前記撥水層が外側になるようにマンドレルの全長に亘って巻回するとともに、プリプレグを所定形状に裁断したパターンを前記撥水層の上から巻回して竿素材を形成し、その竿素材を焼成した状態で前記剥離紙を剥がすことによって撥水塗装層を表出させる点にあり、その作用効果は次の通りである。
【００１４】
〔作用効果〕
マンドレルに所定のプリプレグを巻回し焼成して竿素材を作る通常の製作方法に加えて、予め撥水塗装層を塗布した剥離紙を先行してマンドレルに巻回する構成によって、焼成後この剥離紙を剥ぎ取ることによって、撥水塗装層を内向きに表出させることができる。
このように、撥水塗装層を塗布した剥離紙を使用するので、竿を形成した後にその内部空間に対して振り付け等によって撥水塗装層を施す場合に比べて作業性がよい。
【００１５】
請求項５に係る発明の特徴構成は、中竿の内部空間内における竿先端部と竿尻端部とに、内向きに膨出する内向き環状膨出部を形成し、その内向き環状膨出部にも撥水塗装層を設ける振出竿の製造方法であって、剥離紙を挟んで竿先側と竿尻側とに細幅プリプレグ製の補助パターンを配置して、前記剥離紙と両補助パターンをマンドレルに巻回するとともに、広幅プリプレグ製のメインパターンを前記剥離紙と両補助パターンの上から巻回して竿素材を形成し、その竿素材を焼成した状態で前記剥離紙を剥がし、前記竿素材の内周面に撥水剤を塗布する点にあり、その作用効果は次の通りである。
【００１６】
〔作用効果〕
マンドレルに所定のプリプレグを巻回し焼成して竿素材を作る通常の製作方法に加えて、剥離紙とプリプリグ製の補助パターンを先行してマンドレルに巻回する構成によって、焼成後この剥離紙を剥ぎ取るだけで、補助パターンによる内向き環状膨出部を形成できる。内向き環状膨出部を形成後に、撥水塗料を吹き付けや流し込み等によって撥水塗装層を内向きに表出させることができる。
【００１７】
請求項６に係る発明の特徴構成は、請求項１又は２に係る発明において、前記中竿の内周面に、軸線方向に沿った状態で突条を形成するとともに、その突条を含む前記内周面に撥水塗装層を形成してある点にあり、その作用効果は次の通りである。
【００１８】
〔作用効果〕
中竿の内部空間に形成した突条によって一番竿等の竿先側竿体を支持するので、中竿の内周面で竿先側竿体を支持する面積を必要最小限に抑えることができ、水分による一番竿等の付着現象を解消できる。
このように、撥水塗装層を設けるだけでなく、中竿の内部空間における支持構造に改造を加えることによって、中通し竿に挿通される釣り糸のように弛みが生じやすく突条を形成していてもその突条にも隣接する突条同士の間にも付着し易いものに比べて直線性及び剛性性が高く隣接する突条同士に亘って支持され易い竿の特性に適うものにでき、より良く振出操作を行うことができるに至った。
【発明を実施するための最良の形態】
【００１９】
〔第１実施形態〕
渓流竿、鮎竿等に使用される振出竿Ａについて説明する。
図１に示すように、竿先端に釣り糸を連結する糸連結部材１Ａとしてのリリアンを取り付けている一番竿１と、一番竿１より大径の二番竿２、二番竿２より大径の三番竿３等を備えた中竿、中竿より大径の元竿４を備えて振出竿Ａを構成してある。
【００２０】
二番竿２、三番竿３等の中竿の内部空間に撥水塗装層Ｃを設ける点について説明する。撥水塗装層Ｃは竿素材６が形成された後に、吹き付け塗装や流し込み等の方法によって塗付されるが、まず、竿の製作方法について説明する。通常の製作方法については図示してはいないが、次ぎのようにして行われる。つまり、炭素繊維等の強化繊維を一方向に引き揃え、その引き揃えた強化繊維にエポキシ等の熱硬化性樹脂を含浸させてプリプレグを形成する。プリプレグを所定の形状に裁断したメインパターンを複数層に重ね合わせてマンドレルに巻き付けて、そのマンドレルに巻付けた状態で焼成し、焼成後所定長さに裁断して竿素材６を形成する。
【００２１】
竿素材６を形成した後に、その内周面に吹き付け塗装によって撥水剤を塗布して、撥水塗装層Ｃを形成する。つまり、図２に示すように、縦向きに設定した竿素材６の下端開口から撥水剤１４を投入すべく、その撥水剤１４をタンク１６に混在させ、このタンク１６にコンプレッサ１７から圧縮空気を吹き込むことによって行っている。
ここに、撥水剤１４としては、ポリウレタン系の樹脂塗材を使用し、この樹脂塗材の中に４フッ化エチレンの重合体でなるフッ素樹脂粒子１５を混入させて、撥水塗装層Ｃを形成する。このフッ素樹脂粒子１５は、撥水機能が高いものでありながら、摩擦係数の低いものであり、撥水機能によって水分が広く広がることを阻止しながら、一番竿１等の繰出し時の滑りを良好に行わせることに寄与する。
【００２２】
〔第２実施形態〕
次に、撥水塗装層Ｃを形成するのに、第１実施形態においては、吹き付け塗装や流し込み等の方法によって塗付される形態を示したが、他の撥水塗装層Ｃを有する振出竿Ａの製造方法について説明する。図４に示すように、撥水塗装層Ｃを塗布した剥離紙７を、撥水塗装層Ｃが外側になるようにマンドレル８の全長に亘って巻回するとともに、前記したプリプレグを所定形状に裁断したパターン９を撥水塗装層Ｃの上から巻回して竿素材６を形成し、その竿素材６を焼成した状態でマンドレル８を脱芯し、脱芯後剥離紙７を剥がすことによって撥水塗装層Ｃを竿素材６の内面に表出させる。
このように剥離紙７に予め撥水塗装層Ｃを形成することによって、吹き付け塗装等を行う必要がなく、製作工程を簡略化することができる。ここで、撥水塗装層Ｃを構成する樹脂としては、超高分子量ポリエチレンを使用され、この樹脂の撥水塗装層Ｃが良好な撥水機能を発揮する。
【００２３】
〔第３実施形態〕
図５（イ）（ロ）に示すように、中竿を構成する竿素材６の内部空間内における竿先端部と竿尻端部とに、内向きに膨出する内向き環状膨出部６Ａ、６Ｂを形成し、その内向き環状膨出部６Ａ、６Ｂにも撥水塗装層Ｃを設ける振出竿の製造方法について説明する。剥離紙７を挟んで竿先側と竿尻側とに細幅プリプレグ製の補助パターン１０，１０を配置して、剥離紙７と両補助パターン１０，１０をマンドレル８に巻回するとともに、広幅プリプレグ製のメインパターン９を剥離紙７と両補助パターン１０、１０の上から巻回して竿素材６を形成し、その竿素材６を焼成した状態で剥離紙７を剥がし、竿素材７内周面に撥水剤を塗布する。
【００２４】
〔第４実施形態〕
この場合は、竿素材６の内周面に、竿の軸線方向に沿った突条６Ｃを形成し、
突条６Ｃで竿の内周面から一番竿１等を離間させた状態で支持する構造のものを説明する。図６（イ）（ロ）に示すように、マンドレル８の表面にマンドレル８の軸線に沿った突条８Ａを周方向に複数本並設して設けるとともに、マンドレル８に前記したメインパターン９及び図示しない補助パターン１０等を巻回し、焼成して突条６Ｃを備えた竿素材６を形成し、その竿素材６の内部空間内に吹き付け塗装や流し込み等の方法によって撥水剤を塗付する。
【００２５】
このように、軸線に沿った突条６Ｃを形成することによって、一番竿１等は隣接する突条６Ｃに跨って支持されることになり、竿の内面からの抵抗を少なくできるとともに、その突条６Ｃに塗布された撥水剤によって水の付着力の影響を抑えることができる。
このように突条６Ｃを中竿の内周面に形成することは、一番竿１等が繰出される際の移動抵抗を低減するのに寄与するものであるが、同様の機能を有するものとしては、突条６Ｃ程はっきりした凹凸面を形成するものでなく、細い条痕を多数施したものでもよい。
つまり、所定のプリプレグを巻回する前に、例えば、ウォタージェット等の水力機器や金属製のブラシ状のものを用いて、マンドレル８の表面に多数の細い条痕を軸線方向に沿って多数施し、その上から所定のプリプレグを巻回することによって、中竿の内部空間に細い条痕を写し取ることができる。
【００２６】
撥水剤として他の組成のものについて説明する。つまり、他の撥水剤としては、アクリルーシリコンブロックポリマーをベースとしたものであり、硬化塗膜形成時にナノスケールでシリコーン樹脂とアクリル樹脂が均一にミクロ分布して撥水機能を発揮するものがある。
塗膜厚として２０ミクロン程度の塗膜であれば、1時間の焼き付けにより、４０度の温水に対して１時間後であれば水付着量は０ｇ／ｍｍに抑えることができ、２時間後であっても１ｇ／ｍｍの水付着量に抑えることができる。
【００２７】
〔第５実施形態〕
以上の実施形態では、一番竿１の先端にリリアン１Ａ等を付けている渓流竿等の振出竿Ａに適用する形態を示したが、ここでは、竿の外周面に釣り糸ガイド１１Ａ等を設けた振出竿Ｂに適用したものを示す。
図７（イ）に示すように、トップガイド１１Ａと移動ガイド１１Ｂを備えた一番竿１１、釣り糸ガイド１２Ａと移動ガイド１２Ｂとを備えた二番竿１２、釣り糸ガイド１３Ａとリールシート１３Ｂとを備えた元竿１３とを備えて振出竿Ｂを構成する。この振出竿Ｂに対して、図７（ロ）に示すように、第１実施形態〜第４実施形態で示した撥水塗装層Ｃを施すことができる。
【００２８】
〔別実施形態〕
（１）  上記撥水塗装層Ｃを設ける対象の竿としては、渓流竿、鮎竿以外に鯉竿等にも適用できる。
（２）  上記撥水塗装層Ｃを設ける対象の竿として中竿を挙げたが、中竿としては、一番竿と元竿とを排除した二番竿から元上までが含まれるが、実質的には、三番竿から四番竿位までが対象となる。
（３）  撥水塗装層Ｃに使用される撥水剤としては、上記したものに限定されるものではなく、撥水機能の高いものであればいずれの撥水剤であってもよい。
【図面の簡単な説明】
【００２９】
【図１】（イ）は、渓流竿等の全体側面図、（ロ）は（イ）における中竿の内部空間に撥水塗装層を設けた状態を示す縦断側面図
【図２】吹き付け装置を示す概略構成図
【図３】撥水塗装層を示す縦断側面図
【図４】竿素材を形成する状態を示す斜視図
【図５】（イ）は竿素材を形成する別実施構造を示す斜視図、（ロ）は形成された竿素材の縦断側面図
【図６】（イ）は竿素材を形成する別実施構造を示す斜視図、（ロ）は形成された竿素材の縦断正面図
【図７】（イ）は、外付けガイドを使用する釣り竿を示す別実施構造を示す側面図、（ロ）は（イ）における中竿の内部空間に撥水塗装層を設けた状態を示す縦断側面図
【符号の説明】
【００３０】
１，１１      一番竿
１Ａ          糸連結部材
４            元竿
６Ａ、６Ｂ    内向き環状膨出部
７            剥離紙
８            マンドレル
９            パターン
１２Ａ        釣り糸ガイド
１３Ｂ        リールシート
Ｃ            撥水塗装層
【図１】
2006223185.tif 000003
【図２】
2006223185.tif 000004
【図３】
2006223185.tif 000005
【図４】
2006223185.tif 000006
【図５】
2006223185.tif 000007
【図６】
2006223185.tif 000008
【図７】
2006223185.tif 000009